【事件の表示】
　平成　２年特許願第４０４０５１号「画像データ復元方法及び装置及び画像データ復元手順を記憶した記憶媒体」拒絶査定に対する審判事件［平成　４年　８月１１日出願公開、特開平　４−２２００８１］について、次のとおり審決する。
【結　論】
　本件審判の請求は、成り立たない。
【理　由】
１．手続きの経緯・本願発明
　本願は、平成２年１２月２０日に出願されたものであって、その発明の要旨は、平成８年７月１日、平成８年１１月１２日および平成９年３月１４日付け手続補正書により補正された明細書の特許請求の範囲に記載されたとおりのものにあると認められ、その請求項１に係る発明は次のとおりである。
「【請求項１】　　
　原画像をそれぞれが複数の画素（Ｎ×Ｎ）からなる複数のブロックに分割して得られる各ブロック毎に、該ブロック内の前記複数の画素の階調値を２次元離散コサイン変換して得られた変換係数を量子化し、得られた量子化係数を符号化した符号データから画像を復元する画像データ復元方法に於いて、
　入力された符号データから量子化係数を復号する第１過程と、
　前記第１過程で復号された量子化係数をＤＣＴ係数に逆量子化する第２過程と、
　前記第２過程で得られたＤＣＴ係数を逆ＤＣＴ変換して画像信号に復元する第３過程と、
　前記第２過程で逆量子化された１ブロックのＤＣＴ係数の分布が直流成分のみであるか否かを検出する第４過程と、
　　前記第４過程でＤＣＴ係数の分布が直流成分のみであると検出されたときその直流成分の値が零であるか否かを検出する第５過程と、
　ＤＣＴ係数の分布が直流成分のみであり、且つ直流成分の値が零のときは前記第３過程の逆ＤＣＴ変換処理を省略し、１ブロックの画像信号として全て零を出力する第６過程と、
を有することを特徴とする画像データ復元方法。」
２．引用例
　これに対して、原審における拒絶の理由に引用された、特開平２−２２４４８９号公報（以下、「引用例１」という。）には、　　
「上記従来技術は、変換係数行列［Ｃ］が低次の周波数成分に情報が集中し、高次の成分は零となる性質を、逆直交変換の行列演算に利用しておらず、無駄な演算時間があつた。
　本発明の目的は、直交変換及び逆直交変換の行列演算を、有効要素だけについて行うことにより無駄時間をなくし、一画面の処理を高速化することにある。」（引用例１の第２頁上左欄第１０〜１７行目）、
「本発明は上記の目的を達成するために、係数行列［Ｃ］の周波数成分を検出する部分を付加し、その情報を逆直交変換器に与えることにより、係数行列［Ｃ］内の有効要素（零でない要素）についてのみ演算するようにしたものである。」（引用例１の第２頁上左欄第１９行目〜同頁上右欄第３行目）、
「周波数成分検出器は、変換係数行列［Ｃ］の中の有効要素を検出するように動作する。それによつて逆直交変換器は、有効要素だけに積和演算を行なうようになるので、無駄な演算がなくなり、一画面の処理時間を速めることができる。」（引用例１の第２頁上右欄第５〜９行目）、
「まず従来より知られている高能率符号化部について説明する。ポート１により入力されたテレビ信号は、Ａ／Ｄ変換器２によりデイジタル信号化される。デイジタル化されたテレビ信号は、ｍ画素×ｎ画素のブロツクに分割され、ブロツクメモリ３に画像データとして取り込まれる。直交変換器４は、画像データをブロツクごとに取りだし、直交変換を行う。直交変換された画像データを変換係数と呼ぶことにする。変換係数は、符号器５により符号化され、伝送路６に流される。
　復号器７は、符号を解読し、変換係数を作成する。逆直交変換器８は、解読された変換係数を逆直交変換することにより、１ブロツクの画像データを作成し、ブロツクメモリ１１に書き込む。ブロツクメモリ１１の画像データを順次読み出し、Ｄ／Ａ変換器１２でアナログのテレビ信号として、ポート１３に出力する。以上が、直交変換を用いた高能率符号化復号化装置の動作及び処理過程である。」（引用例１の第２頁上右欄第１５行目〜同頁下左欄第１３行目）、
「本発明の高能率符号化復号化装置は変換係数の周波数成分を検出する周波数成分検出器９と、逆直交変換の演算を制御する制御器１０が付加されていることが特徴である。」（引用例１の第２頁下左欄第１５〜１８行目）、
「実際の動作を説明するために、画像データとして４画素×４画素のブロツクの処理を考える。この時、直交変換による変換係数は、第２図に示すように、左上のＤ１を直流成分とする４×４の行列となる。仮に、変換係数の有効要素（零でない要素）がＤ１，Ｄ２，Ｄ３、のみに現れ、他の要素が零であるとすると、周波数成分検出器９は、周波数成分データとして第２図の○２という情報を逆直交変換制御回路１０に送る。制御器１０は、逆直交変換の行列演算を有効な要素がある２×２の行列に対してのみ行うように制御する。
　第３図に具体的な回路構成の一例を示す。まず周波数成分検出器９について同図（ａ）に示す。
　変換係数内の要素が有効要素（零でない要素）が無効要素（零の係数）かは比較器９ａにより判定される。有効要素であつた場合には、そのアドレスが、アドレスメモリ９ｃに記憶される。変換係数１ブロツクについて、直流から高次の周波数成分要素について処理を行なつた場合には、アドレスメモリ９ｃに最高次数の周波数成分が入つているアドレスが記憶される。このアドレスによつて周波数成分検出Ｒｏｍ９ｄは、周波数成分データを作成する。第２図の例では、最高次数の周波数成分要素はＤ３であり、アドレスメモリ９ｄには、‘３’が入る。」（引用例１の第２頁下左欄第１９行目〜第３頁上左欄第３行目）、
「また、第３図（ｂ）は、逆直交変換器８及び制御器の構成の一例である。
　変換係数は、有効要素のみ適当な順番でシフトレジスタ８ａに入る。係数Ｒｏｍ８ｂは、逆直交変換行列のデータが入つており、積和演算器８ｃによつて行列演算される。２次元の逆直交変換は、さらにこの結果を同様の構成で行列演算することにより、画像データを得る。」（引用例１の第３頁上左欄第１２〜１９行目）、
「本発明によれば、直交変換及び逆直交変換を、有効な要素についてのみ演算を行なうので、処理を高速化できるという効果が得られる。第２図の例を使用すると変換係数から画像データを作成する逆直交変換として、従来１２８回の積和演算が必要であつたが、本発明の装置では４８回の積和演算で、従来と同等の画像データを作成できる。」（引用例１の第３頁下右欄第１０〜１６行目）
と記載され、第１図には、本発明の一実施例のブロック図が、第２図には、具体的な変換係数の例を示す説明図が、第３図には、本発明の実施例の要部の回路構成を示すブロック図が示されている。
　これらの記載からみて引用例１には次のことが記載されているものと認められる。
「デイジタル化されたテレビ信号は、ｍ画素×ｎ画素のブロツクに分割され、ブロツクメモリ３に画像データとして取り込まれ、
　直交変換器４により、ブロックごとに取り出した画像データを、直交変換して、変換係数とされ、　変換係数は、符号器５により符号化され、伝送路６に流され、
　復号器７により、符号が解読され、変換係数が作成され、
　逆直交変換器８により、解読された変換係数が、逆直交変換され、１ブロツクの画像データが作成され、ブロツクメモリ１１に書き込まれるものにおいて、
　変換係数内の要素が有効要素（零でない要素）か無効要素（零の係数）かを判定して、変換係数の周波数成分を検出する周波数成分検出器９と、逆直交変換の演算を制御する制御器１０とを付加し、制御器１０は、逆直交変換の行列演算を有効な要素がある行列に対してのみ行うように制御することを特徴とする符号化復号化装置。」
３．対比
　そこで、本願請求項１に係る発明（以下、「本願発明」という。）と、引用例１に記載された発明とを対比すると、引用例１の「直交変換」、「変換係数」、「逆直交変換」は、それぞれ本願発明の「離散コサイン変換」、「ＤＣＴ係数」、「逆ＤＣＴ変換」を含むものと認められ、また、引用例１に記載された発明は装置として表現されているが、これを方法しても表現し得ることは自明であって、単なる表現上の問題にすぎないから、
両者は
「原画像をそれぞれが複数の画素からなる複数のブロックに分割して得られる各ブロック毎に、該ブロック内の前記複数の画素の直交変換して得られた変換係数を符号化した符号データから画像を復元する画像データ復元方法に於いて、
　入力された符号データから変換係数を復号する過程と、
　前記過程で得られた変換係数を逆直交変換して画像信号に復元する過程と、
　変換係数の成分を検出する過程と、
　その検出結果により出力を制御する過程と、
を有することを特徴とする画像データ復元方法。」
である点において一致し、次の点で相違している。
（相違点）
（１）相違点１
　直交変換が、本願発明は、２次元離散コサイン変換であるのに対して、引用例１は、２次元離散コサイン変換に限定されない直交変換である点。
（２）相違点２
　入力された符号データから変換係数を復号する過程が、本願発明は、変換係数が量子化されて得られた量子化係数を符号化した符号データから画像を復元するために、入力された符号データから量子化係数を復号する第１過程と、前記第１過程で復号された量子化係数をＤＣＴ係数に逆量子化する第２過程とからなるのに対して、引用例１は、変換係数が量子化されておらず、したがって逆量子化を伴うものでない点。
（３）相違点３
　変換係数の成分を検出する過程と、その検出結果により出力を制御する過程とが、本願発明は、１ブロックのＤＣＴ係数の分布が直流成分のみであるか否かを検出する第４過程と、前記第４過程でＤＣＴ係数の分布が直流成分のみであると検出されたときその直流成分の値が零であるか否かを検出する第５過程と、ＤＣＴ係数の分布が直流成分のみであり、且つ直流成分の値が零のときは前記第３過程の逆ＤＣＴ変換処理を省略し、１ブロックの画像信号として全て零を出力する第６過程とからなるのに対して、引用例１は、周波数成分検出器９により、変換係数内の要素が有効要素（零でない要素）か無効要素（零の係数）かを判定し、その判定に応じた情報により、制御回路１０が逆直交変換の演算を有効要素がある行列に対してのみ行うものである点。
４．当審の判断
　上記相違点を検討すると、
（１）相違点１、２について、
　一般的に、画像の符号化、復号化において、直交変換として２次元離散コサイン変換を行うこと、さらに、変換係数の量子化、逆量子化を行うことは周知のことであるから（例えば、特開平２−１１２３８４号公報、特開平２−１７１０８４号公報、特開平２−２２２３９４号公報、特開平２−２６４５８５号公報等参照）、引用例１に記載された発明においても、直交変換に２次元離散コサイン変換を用い、変換係数が量子化及び符号化されて伝送される符号データを処理の対象とし、復号した量子化係数を逆量子化することは当業者が適宜採用し得ることである。
（２）相違点３について、
　引用例１に記載された発明は、ある１ブロックの変換係数が、すべて無効要素（零の係数）であれば、周波数成分検出器９は、変換係数内の要素がすべて無効要素（零の係数）という情報を制御器１０に送り、制御器１０は、逆直交変換の行列演算をこのブロックに対して行わなず、零を出力するものと認められる。
　本願発明は、ＤＣＴ係数が全て零のブロックを逆ＤＣＴ変換して得られた画像データは全て零であることを利用して、復元された１ブロック分のＤＣＴ係数の中の有意係数がＤＣ成分のみで、かつＤＣ成分の値が零であるブロックに対しては、逆ＤＣＴ変換処理をスキップすることにより、１画面内の復元処理の演算回数を大幅に低減でき、簡単な回路で平均的な画像復元速度を向上させることができるものであるが、引用例１に記載された発明も、直交変換及び逆直交変換の行列演算を、有効要素だけについて行うことにより無駄時間をなくし、一画面の処理を高速化しょうとするものであり、上述のように、無効要素（零の係数）だけで構成されるブロックについての逆直交変換を行わずに、零を出力するものであるから、この無効要素だけで構成されるブロックに対する動作を、１ブロックのＤＣＴ係数の分布が直流成分のみであるか否かを検出する過程と、前記過程でＤＣＴ係数の分布が直流成分のみであると検出されたときその直流成分の値が零であるか否かを検出する過程と、ＤＣＴ係数の分布が直流成分のみであり、且つ直流成分の値が零のときは逆ＤＣＴ変換処理を省略し、１ブロックの画像信号として全て零を出力する過程で達成するようにすることは、当業者が容易に想到し得ることである。
　そして、本願発明は、前記引用例１に記載された発明から予測できる作用効果以上の顕著な作用効果を奏するものとは認められない。
５．むすび
　従って、本願請求項１に係る発明は、前記引用例１に基づいて当業者が容易に発明できたものであるから、特許法第２９条第２項の規定により特許を受けることができない。
　よって、結論のとおり審決する。